(57)【要約】【課題】表示品質が低下することを抑えることが可能な液晶装置、及びプロジェクターを提供する。【解決手段】青色用の液晶材料を有する青色用の液晶装置と、緑色用の液晶材料を有する緑色用の液晶装置と、赤色用の液晶材料を有する赤色用の液晶装置と、を備えたプロジェクターであって、青色用の液晶材料は、リタデーションΔｎｄが０．１８〜０．２９の範囲であり、かつ、誘電率異方性Δεが−７．５〜−４の範囲であり、緑色用の液晶層の材料は、リタデーションΔｎｄが０．２５〜０．３８の範囲であり、かつ、誘電率異方性Δεが−７．５〜−４の範囲であり、赤色用の液晶材料は、リタデーションΔｎｄが０．３１〜０．４５の範囲であり、かつ、誘電率異方性Δεが−７．５〜−４の範囲である。【選択図】図５
2017040738.tif 000002
【特許請求の範囲】
【請求項１】
一対の基板間に垂直配向型の青色用の液晶材料を有する液晶層が挟持された青色用の液晶装置であって、
前記青色用の液晶材料は、リタデーションΔｎｄが０．１８〜０．２９の範囲であり、かつ、誘電率異方性Δεが−７．５〜−４の範囲であることを特徴とする液晶装置。
【請求項２】
一対の基板間に垂直配向型の緑色用の液晶材料を有する液晶層が挟持された緑色用の液晶装置であって、
前記緑色用の液晶材料は、リタデーションΔｎｄが０．２５〜０．３８の範囲であり、かつ、誘電率異方性Δεが−７．５〜−４の範囲であることを特徴とする液晶装置。
【請求項３】
一対の基板間に垂直配向型の赤色用の液晶材料を有する液晶層が挟持された赤色用の液晶装置であって、
前記赤色用の液晶材料は、リタデーションΔｎｄが０．３１〜０．４５の範囲であり、かつ、誘電率異方性Δεが−７．５〜−４の範囲であることを特徴とする液晶装置。
【請求項４】
一対の基板間に垂直配向型の青色用の液晶材料を有する液晶層が挟持された青色用の液晶装置と、
一対の基板間に垂直配向型の緑色用の液晶材料を有する液晶層が挟持された緑色用の液晶装置と、
一対の基板間に垂直配向型の赤色用の液晶材料を有する液晶層が挟持された赤色用の液晶装置と、
を備えたプロジェクターであって、
前記青色用の液晶材料は、リタデーションΔｎｄが０．１８〜０．２９の範囲であり、かつ、誘電率異方性Δεが−７．５〜−４の範囲であり、
前記緑色用の液晶材料は、リタデーションΔｎｄが０．２５〜０．３８の範囲であり、かつ、誘電率異方性Δεが−７．５〜−４の範囲であり、
前記赤色用の液晶材料は、リタデーションΔｎｄが０．３１〜０．４５の範囲であり、かつ、誘電率異方性Δεが−７．５〜−４の範囲であることを特徴とするプロジェクター。
【請求項５】
請求項４に記載のプロジェクターであって、
前記青色用の液晶材料は、リタデーションΔｎｄが０．２０〜０．２９の範囲であり、かつ、誘電率異方性Δεが−７．５〜−４の範囲であり、
前記緑色用の液晶材料は、リタデーションΔｎｄが０．２７〜０．３８の範囲であり、かつ、誘電率異方性Δεが−７．５〜−４の範囲であり、
前記赤色用の液晶材料は、リタデーションΔｎｄが０．３４〜０．４５の範囲であり、かつ、誘電率異方性Δεが−７．５〜−４の範囲であることを特徴とするプロジェクター。
【請求項６】
請求項４に記載のプロジェクターであって、
前記青色用の前記液晶層のギャップは、１．１８〜１．８０の範囲であり、かつ、前記青色用の液晶材料の誘電率異方性Δεが−７．５〜−４の範囲であり、
前記緑色用の前記液晶層のギャップは、１．５８〜２．４０の範囲であり、かつ、前記緑色用の液晶材料の誘電率異方性Δεが−７．５〜−４の範囲であり、
前記赤色用の前記液晶層のギャップは、１．９９〜２．８０の範囲であり、かつ、前記赤色用の液晶材料の誘電率異方性Δεが−７．５〜−４の範囲であることを特徴とするプロジェクター。
【請求項７】
請求項６に記載のプロジェクターであって、
前記青色用の前記液晶層のギャップは、１．１８〜１．８０の範囲であり、かつ、前記青色用の液晶材料の誘電率異方性Δεが−５．５〜−４の範囲であり、
前記緑色用の前記液晶層のギャップは、１．５８〜２．２０の範囲であり、かつ、前記緑色用の液晶材料の誘電率異方性Δεが−６．５〜−５の範囲であり、
前記赤色用の前記液晶層のギャップは、１．９９〜２．６０の範囲であり、かつ、前記赤色用の液晶材料の誘電率異方性Δεが−７．５〜−６の範囲であることを特徴とするプロジェクター。
【請求項８】
請求項４に記載のプロジェクターであって、
前記青色用の液晶材料は、リタデーションΔｎｄが０．１８〜０．２９の範囲であり、かつ、誘電率異方性Δε×電圧Ｖ2が−１２０〜−６４の範囲であり、
前記緑色用の液晶材料は、リタデーションΔｎｄが０．２５〜０．３８の範囲であり、かつ、誘電率異方性Δε×電圧Ｖ2が−１２０〜−６４の範囲であり、
前記赤色用の液晶材料は、リタデーションΔｎｄが０．３１〜０．４５の範囲であり、かつ、誘電率異方性Δε×電圧Ｖ2が−１２０〜−６４の範囲であることを特徴とするプロジェクター。
【請求項９】
一対の基板間に垂直配向型の青色用の液晶材料を有する液晶層が挟持された青色用の液晶装置であって、
前記青色用の液晶材料は、リタデーション２Δｎｄが０．１８〜０．２９の範囲であり、かつ、誘電率異方性Δεが−７．５〜−４の範囲であることを特徴とする液晶装置。
【請求項１０】
一対の基板間に垂直配向型の緑色用の液晶材料を有する液晶層が挟持された緑色用の液晶装置であって、
前記緑色用の液晶材料は、リタデーション２Δｎｄが０．２５〜０．３８の範囲であり、かつ、誘電率異方性Δεが−７．５〜−４の範囲であることを特徴とする液晶装置。
【請求項１１】
一対の基板間に垂直配向型の赤色用の液晶材料を有する液晶層が挟持された赤色用の液晶装置であって、
前記赤色用の液晶材料は、リタデーション２Δｎｄが０．３１〜０．４５の範囲であり、かつ、誘電率異方性Δεが−７．５〜−４の範囲であることを特徴とする液晶装置。
【請求項１２】
一対の基板間に垂直配向型の青色用の液晶材料を有する液晶層が挟持された青色用の液晶装置と、
一対の基板間に垂直配向型の緑色用の液晶材料を有する液晶層が挟持された緑色用の液晶装置と、
一対の基板間に垂直配向型の赤色用の液晶材料を有する液晶層が挟持された赤色用の液晶装置と、
を備えたプロジェクターであって、
前記青色用の液晶材料は、リタデーション２Δｎｄが０．１８〜０．２９の範囲であり、かつ、誘電率異方性Δεが−７．５〜−４の範囲であり、
前記緑色用の液晶材料は、リタデーション２Δｎｄが０．２５〜０．３８の範囲であり、かつ、誘電率異方性Δεが−７．５〜−４の範囲であり、
前記赤色用の液晶材料は、リタデーション２Δｎｄが０．３１〜０．４５の範囲であり、かつ、誘電率異方性Δεが−７．５〜−４の範囲であることを特徴とするプロジェクター。
【請求項１３】
請求項１２に記載のプロジェクターであって、
前記青色用の液晶材料は、リタデーション２Δｎｄが０．２０〜０．２９の範囲であり、かつ、誘電率異方性Δεが−７．５〜−４の範囲であり、
前記緑色用の液晶材料は、リタデーション２Δｎｄが０．２７〜０．３８の範囲であり、かつ、誘電率異方性Δεが−７．５〜−４の範囲であり、
前記赤色用の液晶材料は、リタデーション２Δｎｄが０．３４〜０．４５の範囲であり、かつ、誘電率異方性Δεが−７．５〜−４の範囲であることを特徴とするプロジェクター。
【請求項１４】
請求項１２に記載のプロジェクターであって、
前記青色用の前記液晶層のギャップは、１．１８〜１．８０の範囲であり、かつ、前記青色用の液晶材料の誘電率異方性Δεが−７．５〜−４の範囲であり、
前記緑色用の前記液晶層のギャップは、１．５８〜２．４０の範囲であり、かつ、前記緑色用の液晶材料の誘電率異方性Δεが−７．５〜−４の範囲であり、
前記赤色用の前記液晶層のギャップは、１．９９〜２．８０の範囲であり、かつ、前記赤色用の液晶材料の誘電率異方性Δεが−７．５〜−４の範囲であることを特徴とするプロジェクター。
【請求項１５】
請求項１４に記載のプロジェクターであって、
前記青色用の前記液晶層のギャップは、１．１８〜１．８０の範囲であり、かつ、前記青色用の液晶材料の誘電率異方性Δεが−５．５〜−４の範囲であり、
前記緑色用の前記液晶層のギャップは、１．５８〜２．２０の範囲であり、かつ、前記緑色用の液晶材料の誘電率異方性Δεが−６．５〜−５の範囲であり、
前記赤色用の前記液晶層のギャップは、１．９９〜２．６０の範囲であり、かつ、前記赤色用の液晶材料の誘電率異方性Δεが−７．５〜−６の範囲であることを特徴とするプロジェクター。
【請求項１６】
請求項１２に記載のプロジェクターであって、
前記青色用の液晶材料は、リタデーション２Δｎｄが０．１８〜０．２９の範囲であり、かつ、誘電率異方性Δε×電圧Ｖ2が−１２０〜−６４の範囲であり、
前記緑色用の液晶材料は、リタデーション２Δｎｄが０．２５〜０．３８の範囲であり、かつ、誘電率異方性Δε×電圧Ｖ2が−１２０〜−６４の範囲であり、
前記赤色用の液晶材料は、リタデーション２Δｎｄが０．３１〜０．４５の範囲であり、かつ、誘電率異方性Δε×電圧Ｖ2が−１２０〜−６４の範囲であることを特徴とするプロジェクター。
【発明の詳細な説明】
【技術分野】
【０００１】
本発明は、液晶装置、及びプロジェクターに関する。
【背景技術】
【０００２】
上記液晶装置として、例えば、画素電極をスイッチング制御するトランジスターを画素ごとに備えたアクティブ駆動方式の液晶装置が知られている。この液晶装置は、例えば、電子機器としての液晶プロジェクターの液晶ライトバルブとして用いられる。
【０００３】
具体的には、正面から観察したときのコントラストが優れているとして、例えば、特許文献１に記載のように、垂直配向（Vertical Alignment、以下、ＶＡと称する）モードの液晶ライトバルブ（液晶装置）を備えた液晶プロジェクターが提案されている。ＶＡモードの液晶ライトバルブは、一対の基板間に負の誘電率異方性を有する液晶層を挟持し、電圧無印加状態において液晶分子を略垂直に配向させたものである。
【０００４】
液晶プロジェクターには、上記液晶ライトバルブ（液晶装置）が、各色（Ｂ（青）Ｇ（緑）Ｒ（赤））ごとに配置されている。
【先行技術文献】
【特許文献】
【０００５】
【特許文献１】特開２０１４−６６９６１号公報
【発明の概要】
【発明が解決しようとする課題】
【０００６】
しかしながら、高精細化や高輝度化になるに従って、図１０に示すように、各色（ＢＧＲ）毎の電圧に対する透過率の関係（ＶＴ特性）において、変化量のばらつきが目立つようになってきており、色度など表示品質の向上が求められているという課題がある。特に、高輝度化による液晶装置（パネル）の温度特性変化によって液晶の物性値が変化する。また、図１０に示すように、ＢＧＲ毎でＶＴ特性の形状が異なるため、温度変化に対してＢＧＲそれぞれのパネルでの変化量が大きく異なり、その結果、表示品質が低下するという課題がある。
【課題を解決するための手段】
【０００７】
本発明の態様は、上記課題の少なくとも一部を解決するためになされたものであり、以下の形態又は適用例として実現することが可能である。
【０００８】
［適用例１］本適用例に係る液晶装置は、一対の基板間に垂直配向型の青色用の液晶材料を有する液晶層が挟持された青色用の液晶装置であって、前記青色用の液晶材料は、リタデーションΔｎｄが０．１８〜０．２９の範囲であり、かつ、誘電率異方性Δεが−７．５〜−４の範囲であることを特徴とする。
【０００９】
本適用例によれば、青色用の液晶材料の物性値（Δｎｄ、Δε）の関係を、上記の範囲になるように設定して用いることにより、青色用の液晶材料のＶＴ特性を、他の色（例えば、緑色、赤色）用の液晶材料のＶＴ特性に揃えることが可能となる。よって、例えば、温度上昇などによって液晶材料の物性値が変化した場合でも、電圧に対する透過率の変化量のばらつきが少ないため、表示品質が低下することを抑えることができる。
【００１０】
［適用例２］本適用例に係る液晶装置は、一対の基板間に垂直配向型の緑色用の液晶材料を有する液晶層が挟持された緑色用の液晶装置であって、前記緑色用の液晶材料は、リタデーションΔｎｄが０．２５〜０．３８の範囲であり、かつ、誘電率異方性Δεが−７．５〜−４の範囲であることを特徴とする。
【００１１】
本適用例によれば、緑色用の液晶材料の物性値（Δｎｄ、Δε）の関係を、上記の範囲になるように設定して用いることにより、緑色用の液晶材料のＶＴ特性を、他の色（例えば、青色、赤色）用の液晶材料のＶＴ特性に揃えることが可能となる。よって、例えば、温度上昇などによって液晶材料の物性値が変化した場合でも、電圧に対する透過率の変化量のばらつきが少ないため、表示品質が低下することを抑えることができる。
【００１２】
［適用例３］本適用例に係る液晶装置は、一対の基板間に垂直配向型の赤色用の液晶材料を有する液晶層が挟持された赤色用の液晶装置であって、前記赤色用の液晶材料は、リタデーションΔｎｄが０．３１〜０．４５の範囲であり、かつ、誘電率異方性Δεが−７．５〜−４の範囲であることを特徴とする。
【００１３】
本適用例によれば、赤色用の液晶材料の物性値（Δｎｄ、Δε）の関係を、上記の範囲になるように設定して用いることにより、赤色用の液晶材料のＶＴ特性を、他の色（例えば、青色、緑色）用の液晶材料のＶＴ特性に揃えることが可能となる。よって、例えば、温度上昇などによって液晶材料の物性値が変化した場合でも、電圧に対する透過率の変化量のばらつきが少ないため、表示品質が低下することを抑えることができる。
【００１４】
［適用例４］本適用例に係るプロジェクターは、一対の基板間に垂直配向型の青色用の液晶材料を有する液晶層が挟持された青色用の液晶装置と、一対の基板間に垂直配向型の緑色用の液晶材料を有する液晶層が挟持された緑色用の液晶装置と、一対の基板間に垂直配向型の赤色用の液晶材料を有する液晶層が挟持された赤色用の液晶装置と、を備えたプロジェクターであって、前記青色用の液晶材料は、リタデーションΔｎｄが０．１８〜０．２９の範囲であり、かつ、誘電率異方性Δεが−７．５〜−４の範囲であり、前記緑色用の液晶材料は、リタデーションΔｎｄが０．２５〜０．３８の範囲であり、かつ、誘電率異方性Δεが−７．５〜−４の範囲であり、前記赤色用の液晶材料は、リタデーションΔｎｄが０．３１〜０．４５の範囲であり、かつ、誘電率異方性Δεが−７．５〜−４の範囲であることを特徴とする。
【００１５】
本適用例によれば、各色（青色用、緑色用、赤色用）の液晶材料の物性値（Δｎｄ、Δε）の関係を、上記の範囲になるように設定して用いることにより、各色の液晶材料のＶＴ特性を揃えることが可能となる。よって、例えば、温度上昇などによって液晶材料の物性値が変化した場合でも、電圧に対する透過率の変化量のばらつきが少ないため、表示品質が低下することを抑えることができる。具体的には、印加電圧が３．５Ｖ〜５Ｖの範囲において最適に用いることができる。
【００１６】
［適用例５］上記適用例に係るプロジェクターにおいて、前記青色用の液晶材料は、リタデーションΔｎｄが０．２０〜０．２９の範囲であり、かつ、誘電率異方性Δεが−７．５〜−４の範囲であり、前記緑色用の液晶材料は、リタデーションΔｎｄが０．２７〜０．３８の範囲であり、かつ、誘電率異方性Δεが−７．５〜−４の範囲であり、前記赤色用の液晶材料は、リタデーションΔｎｄが０．３４〜０．４５の範囲であり、かつ、誘電率異方性Δεが−７．５〜−４の範囲であることが好ましい。
【００１７】
本適用例によれば、各色（青色用、緑色用、赤色用）の液晶材料の物性値（Δｎｄ、Δε）の関係を、上記の範囲になるように設定して用いることにより、各色の液晶材料のＶＴ特性を揃えることが可能となる。よって、例えば、温度上昇などによって液晶材料の物性値が変化した場合でも、電圧に対する透過率の変化量のばらつきが少ないため、表示品質が低下することを抑えることができる。具体的には、印加電圧４Ｖ以下の範囲において最適に用いることができる。
【００１８】
［適用例６］上記適用例に係るプロジェクターにおいて、前記青色用の前記液晶層のギャップは、１．１８〜１．８０の範囲であり、かつ、前記青色用の液晶材料の誘電率異方性Δεが−７．５〜−４の範囲であり、前記緑色用の前記液晶層のギャップは、１．５８〜２．４０の範囲であり、かつ、前記緑色用の液晶材料の誘電率異方性Δεが−７．５〜−４の範囲であり、前記赤色用の前記液晶層のギャップは、１．９９〜２．８０の範囲であり、かつ、前記赤色用の液晶材料の誘電率異方性Δεが−７．５〜−４の範囲であることが好ましい。
【００１９】
本適用例によれば、各色（青色用、緑色用、赤色用）の液晶材料の物性値（ギャップ、Δε）の関係を、上記の範囲になるように設定して用いることにより、各色の液晶材料のＶＴ特性を揃えることが可能となる。よって、例えば、温度上昇などによって液晶材料の物性値が変化した場合でも、電圧に対する透過率の変化量のばらつきが少ないため、表示品質が低下することを抑えることができる。具体的には、印加電圧が３．５Ｖ〜５Ｖの範囲において最適に用いることができる。
【００２０】
［適用例７］上記適用例に係るプロジェクターにおいて、前記青色用の前記液晶層のギャップは、１．１８〜１．８０の範囲であり、かつ、前記青色用の液晶材料の誘電率異方性Δεが−５．５〜−４の範囲であり、前記緑色用の前記液晶層のギャップは、１．５８〜２．２０の範囲であり、かつ、前記緑色用の液晶材料の誘電率異方性Δεが−６．５〜−５の範囲であり、前記赤色用の前記液晶層のギャップは、１．９９〜２．６０の範囲であり、かつ、前記赤色用の液晶材料の誘電率異方性Δεが−７．５〜−６の範囲であることが好ましい。
【００２１】
本適用例によれば、各色（青色用、緑色用、赤色用）の液晶材料の物性値（ギャップ、Δε）の関係を、上記の範囲になるように設定して用いることにより、各色の液晶材料のＶＴ特性を揃えることが可能となる。よって、例えば、温度上昇などによって液晶材料の物性値が変化した場合でも、電圧に対する透過率の変化量のばらつきが少ないため、表示品質が低下することを抑えることができる。更に、上記ＶＴ特性を保持すると共に、ドメインに大きく影響を与えるようなギャップに広がることを抑えることができる。よって、ドメインに起因する表示品質が低下することを抑えることができる。
【００２２】
［適用例８］上記適用例に係るプロジェクターにおいて、前記青色用の液晶材料は、リタデーションΔｎｄが０．１８〜０．２９の範囲であり、かつ、誘電率異方性Δε×電圧Ｖ2が−１２０〜−６４の範囲であり、前記緑色用の液晶材料は、リタデーションΔｎｄが０．２５〜０．３８の範囲であり、かつ、誘電率異方性Δε×電圧Ｖ2が−１２０〜−６４の範囲であり、前記赤色用の液晶材料は、リタデーションΔｎｄが０．３１〜０．４５の範囲であり、かつ、誘電率異方性Δε×電圧Ｖ2が−１２０〜−６４の範囲であることが好ましい。
【００２３】
本適用例によれば、各色（青色用、緑色用、赤色用）の液晶材料の物性値（Δｎｄ、Δε×Ｖ2）の関係を、上記の範囲になるように設定して用いることにより、各色の液晶材料のＶＴ特性を揃えることが可能となる。よって、例えば、温度上昇などによって液晶材料の物性値が変化した場合でも、電圧に対する透過率の変化量のばらつきが少ないため、表示品質が低下することを抑えることができる。
【００２４】
［適用例９］本適用例に係る液晶装置は、一対の基板間に垂直配向型の青色用の液晶材料を有する液晶層が挟持された青色用の液晶装置であって、前記青色用の液晶材料は、リタデーション２Δｎｄが０．１８〜０．２９の範囲であり、かつ、誘電率異方性Δεが−７．５〜−４の範囲であることを特徴とする。
【００２５】
本適用例によれば、青色用の液晶材料の物性値（２Δｎｄ、Δε）の関係を、上記の範囲になるように設定して用いることにより、反射型の青色用の液晶材料のＶＴ特性を、他の色（例えば、緑色、赤色）用の液晶材料のＶＴ特性に揃えることが可能となる。よって、例えば、温度上昇などによって液晶材料の物性値が変化した場合でも、電圧に対する透過率の変化量のばらつきが少ないため、表示品質が低下することを抑えることができる。
【００２６】
［適用例１０］本適用例に係る液晶装置は、一対の基板間に垂直配向型の緑色用の液晶材料を有する液晶層が挟持された緑色用の液晶装置であって、前記緑色用の液晶材料は、リタデーション２Δｎｄが０．２５〜０．３８の範囲であり、かつ、誘電率異方性Δεが−７．５〜−４の範囲であることを特徴とする。
【００２７】
本適用例によれば、緑色用の液晶材料の物性値（２Δｎｄ、Δε）の関係を、上記の範囲になるように設定して用いることにより、反射型の緑色用の液晶材料のＶＴ特性を、他の色（例えば、青色、赤色）用の液晶材料のＶＴ特性に揃えることが可能となる。よって、例えば、温度上昇などによって液晶材料の物性値が変化した場合でも、電圧に対する透過率の変化量のばらつきが少ないため、表示品質が低下することを抑えることができる。
【００２８】
［適用例１１］本適用例に係る液晶装置は、一対の基板間に垂直配向型の赤色用の液晶材料を有する液晶層が挟持された赤色用の液晶装置であって、前記赤色用の液晶材料は、リタデーション２Δｎｄが０．３１〜０．４５の範囲であり、かつ、誘電率異方性Δεが−７．５〜−４の範囲であることを特徴とする。
【００２９】
本適用例によれば、赤色用の液晶材料の物性値（２Δｎｄ、Δε）の関係を、上記の範囲になるように設定して用いることにより、反射型の赤色用の液晶材料のＶＴ特性を、他の色（例えば、青色、緑色）用の液晶材料のＶＴ特性に揃えることが可能となる。よって、例えば、温度上昇などによって液晶材料の物性値が変化した場合でも、電圧に対する透過率の変化量のばらつきが少ないため、表示品質が低下することを抑えることができる。
【００３０】
［適用例１２］本適用例に係るプロジェクターは、一対の基板間に垂直配向型の青色用の液晶材料を有する液晶層が挟持された青色用の液晶装置と、一対の基板間に垂直配向型の緑色用の液晶材料を有する液晶層が挟持された緑色用の液晶装置と、一対の基板間に垂直配向型の赤色用の液晶材料を有する液晶層が挟持された赤色用の液晶装置と、を備えたプロジェクターであって、前記青色用の液晶材料は、リタデーション２Δｎｄが０．１８〜０．２９の範囲であり、かつ、誘電率異方性Δεが−７．５〜−４の範囲であり、前記緑色用の液晶材料は、リタデーション２Δｎｄが０．２５〜０．３８の範囲であり、かつ、誘電率異方性Δεが−７．５〜−４の範囲であり、前記赤色用の液晶材料は、リタデーション２Δｎｄが０．３１〜０．４５の範囲であり、かつ、誘電率異方性Δεが−７．５〜−４の範囲であることを特徴とする。
【００３１】
本適用例によれば、各色（青色用、緑色用、赤色用）の液晶材料の物性値（２Δｎｄ、Δε）の関係を、上記の範囲になるように設定して用いることにより、反射型の各色の液晶材料のＶＴ特性を揃えることが可能となる。よって、例えば、温度上昇などによって液晶材料の物性値が変化した場合でも、電圧に対する透過率の変化量のばらつきが少ないため、表示品質が低下することを抑えることができる。具体的には、印加電圧が３．５Ｖ〜５Ｖの範囲において最適に用いることができる。
【００３２】
［適用例１３］上記適用例に係るプロジェクターにおいて、前記青色用の液晶材料は、リタデーション２Δｎｄが０．２０〜０．２９の範囲であり、かつ、誘電率異方性Δεが−７．５〜−４の範囲であり、前記緑色用の液晶材料は、リタデーション２Δｎｄが０．２７〜０．３８の範囲であり、かつ、誘電率異方性Δεが−７．５〜−４の範囲であり、前記赤色用の液晶材料は、リタデーション２Δｎｄが０．３４〜０．４５の範囲であり、かつ、誘電率異方性Δεが−７．５〜−４の範囲であることが好ましい。
【００３３】
本適用例によれば、各色（青色用、緑色用、赤色用）の液晶材料の物性値（２Δｎｄ、Δε）の関係を、上記の範囲になるように設定して用いることにより、反射型の各色の液晶材料のＶＴ特性を揃えることが可能となる。よって、例えば、温度上昇などによって液晶材料の物性値が変化した場合でも、電圧に対する透過率の変化量のばらつきが少ないため、表示品質が低下することを抑えることができる。具体的には、印加電圧４Ｖ以下の範囲において最適に用いることができる。
【００３４】
［適用例１４］上記適用例に係るプロジェクターにおいて、前記青色用の前記液晶層のギャップは、１．１８〜１．８０の範囲であり、かつ、前記青色用の液晶材料の誘電率異方性Δεが−７．５〜−４の範囲であり、前記緑色用の前記液晶層のギャップは、１．５８〜２．４０の範囲であり、かつ、前記緑色用の液晶材料の誘電率異方性Δεが−７．５〜−４の範囲であり、前記赤色用の前記液晶層のギャップは、１．９９〜２．８０の範囲であり、かつ、前記赤色用の液晶材料の誘電率異方性Δεが−７．５〜−４の範囲であることが好ましい。
【００３５】
本適用例によれば、各色（青色用、緑色用、赤色用）の液晶材料の物性値（ギャップ、Δε）の関係を、上記の範囲になるように設定して用いることにより、反射型の各色の液晶材料のＶＴ特性を揃えることが可能となる。よって、例えば、温度上昇などによって液晶材料の物性値が変化した場合でも、電圧に対する透過率の変化量のばらつきが少ないため、表示品質が低下することを抑えることができる。具体的には、印加電圧が３．５Ｖ〜５Ｖの範囲において最適に用いることができる。
【００３６】
［適用例１５］上記適用例に係るプロジェクターにおいて、前記青色用の前記液晶層のギャップは、１．１８〜１．８０の範囲であり、かつ、前記青色用の液晶材料の誘電率異方性Δεが−５．５〜−４の範囲であり、前記緑色用の前記液晶層のギャップは、１．５８〜２．２０の範囲であり、かつ、前記緑色用の液晶材料の誘電率異方性Δεが−６．５〜−５の範囲であり、前記赤色用の前記液晶層のギャップは、１．９９〜２．６０の範囲であり、かつ、前記赤色用の液晶材料の誘電率異方性Δεが−７．５〜−６の範囲であることが好ましい。
【００３７】
本適用例によれば、各色（青色用、緑色用、赤色用）の液晶材料の物性値（ギャップ、Δε）の関係を、上記の範囲になるように設定して用いることにより、反射型の各色の液晶材料のＶＴ特性を揃えることが可能となる。よって、例えば、温度上昇などによって液晶材料の物性値が変化した場合でも、電圧に対する透過率の変化量のばらつきが少ないため、表示品質が低下することを抑えることができる。更に、上記ＶＴ特性を保持すると共に、ドメインに大きく影響を与えるようなギャップに広がることを抑えることができる。よって、ドメインに起因する表示品質が低下することを抑えることができる。
【００３８】
［適用例１６］上記適用例に係るプロジェクターにおいて、前記青色用の液晶材料は、リタデーション２Δｎｄが０．１８〜０．２９の範囲であり、かつ、誘電率異方性Δε×電圧Ｖ2が−１２０〜−６４の範囲であり、前記緑色用の液晶材料は、リタデーション２Δｎｄが０．２５〜０．３８の範囲であり、かつ、誘電率異方性Δε×電圧Ｖ2が−１２０〜−６４の範囲であり、前記赤色用の液晶材料は、リタデーション２Δｎｄが０．３１〜０．４５の範囲であり、かつ、誘電率異方性Δε×電圧Ｖ2が−１２０〜−６４の範囲であることが好ましい。
【００３９】
本適用例によれば、各色（青色用、緑色用、赤色用）の液晶材料の物性値（２Δｎｄ、Δε×Ｖ2）の関係を、上記の範囲になるように設定して用いることにより、反射型の各色の液晶材料のＶＴ特性を揃えることが可能となる。よって、例えば、温度上昇などによって液晶材料の物性値が変化した場合でも、電圧に対する透過率の変化量のばらつきが少ないため、表示品質が低下することを抑えることができる。
【図面の簡単な説明】
【００４０】
【図１】液晶装置の構成を示す模式平面図。
【図２】図１に示す液晶装置のＨ−Ｈ’線に沿う模式断面図。
【図３】液晶装置の電気的な構成を示す等価回路図。
【図４】電子機器としてのプロジェクターの構成を示す概略図。
【図５】誘電率異方性ΔεとリタデーションΔｎｄとの関係を、Ｂ（青色）Ｇ（緑色）Ｒ（赤色）及び電圧Ｖごとに示したグラフ。
【図６】誘電率異方性ΔεとＧＡＰとの関係を、Ｂ（青色）Ｇ（緑色）Ｒ（赤色）及び電圧Ｖごとに示したグラフ。
【図７】誘電率異方性ΔεとＧＡＰとの関係を、Ｂ（青色）Ｇ（緑色）Ｒ（赤色）及び電圧Ｖごとに示したグラフ。
【図８】誘電率異方性Δε及び印加電圧Ｖ2の積と、リタデーションΔｎｄとの関係を、Ｂ（青色）Ｇ（緑色）Ｒ（赤色）及び電圧Ｖごとに示したグラフ。
【図９】色（ＢＧＲ）ごとに専用の液晶装置を用いた場合の、電圧Ｖと透過率との関係を示すグラフ。
【図１０】従来の液晶装置の電圧Ｖと透過率との関係を示すグラフ。
【発明を実施するための形態】
【００４１】
以下、本発明を具体化した実施形態について図面に従って説明する。なお、使用する図面は、説明する部分が認識可能な状態となるように、適宜拡大または縮小して表示している。
【００４２】
なお、以下の形態において、例えば「基板上に」と記載された場合、基板の上に接するように配置される場合、又は基板の上に他の構成物を介して配置される場合、又は基板の上に一部が接するように配置され、一部が他の構成物を介して配置される場合を表すものとする。
【００４３】
本実施形態では、薄膜トランジスター（ＴＦＴ：Thin Film Transistor）を画素のスイッチング素子として備えたアクティブマトリックス型の液晶装置を例に挙げて説明する。この液晶装置は、例えば、後述する電子機器（プロジェクター）の光変調素子（液晶ライトバルブ）として好適に用いることができるものである。
【００４４】
＜液晶装置の構成＞
図１は、液晶装置の構成を示す模式平面図である。図２は、図１に示す液晶装置のＨ−Ｈ’線に沿う模式断面図である。図３は、液晶装置の電気的な構成を示す等価回路図である。以下、液晶装置の構成を、図１〜図３を参照しながら説明する。
【００４５】
図１及び図２に示すように、本実施形態の液晶装置１００は、対向配置された一対の基板としての素子基板１０および対向基板２０と、これら一対の基板によって挟持された液晶層１５とを有する。素子基板１０を構成する第１基材１１、および対向基板２０を構成する第２基材１２は、例えば、ガラス基板、石英基板などの透明基板が用いられている。
【００４６】
素子基板１０は対向基板２０よりも大きく、両基板は、対向基板２０の外縁に沿って配置されたシール材１４を介して接合され、その隙間に負の誘電異方性を有する液晶が封入されて液晶層１５が構成されている。
【００４７】
シール材１４は、例えば、熱硬化性又は紫外線硬化性のエポキシ樹脂などの接着剤が採用されている。シール材１４には、一対の基板の間隔を一定に保持するためのギャップ材が混入されている。
【００４８】
シール材１４の内側に、複数の画素Ｐが配列された表示領域Ｅを有している。シール材１４と表示領域Ｅとの間には、表示領域Ｅを囲むように遮光性の例えば金属あるいは金属酸化物などからなる遮光層１８（見切り部）が配置されている。なお、表示領域Ｅは、表示に寄与する複数の画素Ｐを囲むように配置された複数のダミー画素を含んでいてもよい。
【００４９】
第１基材１１の１辺部と、１辺部に沿ったシール材１４との間にデータ線駆動回路２２が設けられている。また、該１辺部に対向する他の１辺部に沿ったシール材１４の内側に検査回路（図示せず）が設けられている。さらに、該１辺部と直交し互いに対向する他の２辺部には、２つの走査線駆動回路２４が設けられている。該１辺部と対向する他の１辺部には、２つの走査線駆動回路２４を繋ぐ複数の配線２９が設けられている。
【００５０】
これらデータ線駆動回路２２及び走査線駆動回路２４に繋がる配線は、該１辺部に沿って配列した複数の外部接続端子６１に接続されている。以降、該１辺部に沿った方向をＸ方向とし、該１辺部と直交し互いに対向する他の２辺部に沿った方向をＹ方向として説明する。
【００５１】
図２に示すように、第１基材１１の液晶層１５側の表面には、画素Ｐごとに設けられたＩＴＯ（Indium Tin Oxide）などの透明電極などからなる画素電極２７およびスイッチング素子としての薄膜トランジスター３０（以降、「ＴＦＴ３０」と称する。）と、信号配線と、これらを覆う第１配向膜２８とが形成されている。
【００５２】
また、ＴＦＴ３０における半導体層に光が入射してスイッチング動作が不安定になることを防ぐ遮光構造が採用されている。このように素子基板１０は、少なくともＴＦＴ３０と画素電極２７と第１配向膜２８とを有している。
【００５３】
第２基材１２の液晶層１５側の表面には、遮光層１８と、これを覆うように成膜された絶縁層１３と、絶縁層１３を覆うように設けられた共通電極３１と、共通電極３１を覆う第２配向膜３２とが設けられている。
【００５４】
共通電極３１は、例えばＩＴＯなどの透明導電膜からなり、絶縁層などを覆うと共に、図１に示すように対向基板２０の四隅に設けられた上下導通部２６により素子基板１０側の配線に電気的に接続している。
【００５５】
画素電極２７を覆う第１配向膜２８および共通電極３１を覆う第２配向膜３２は、無機配向膜であって、液晶装置１００の光学設計に基づいて選定される。例えば、ＳｉＯｘ（酸化シリコン）などの無機材料を気相成長法を用いて成膜して、液晶分子に対して略垂直配向させたものが挙げられる。このように対向基板２０は、少なくとも共通電極３１と第２配向膜３２とを有している。
【００５６】
このような液晶装置１００は、例えば透過型であって、画素Ｐが非駆動時に暗表示となるノーマリーブラックモードや、非駆動時に明表示となるノーマリーホワイトモードの光学設計が採用される。光学設計に応じて、光の入射側（射出側）に偏光板が配置されて用いられる。
【００５７】
図３に示すように、液晶装置１００は、少なくとも表示領域Ｅにおいて互いに絶縁されて直交する複数の走査線３ａおよび複数のデータ線６ａと、走査線３ａと並行して延在する容量線３ｂとを有する。走査線３ａが延在する方向がＸ方向であり、データ線６ａが延在する方向がＹ方向である。なお、容量線３ｂはデータ線６ａと並行して延在するように配置することもできる。
【００５８】
走査線３ａとデータ線６ａならびに容量線３ｂと、これらの信号線類により区分された領域に、画素電極２７と、ＴＦＴ３０と、容量素子１６とが設けられ、これらが画素Ｐの画素回路を構成している。
【００５９】
走査線３ａはＴＦＴ３０のゲートに電気的に接続され、データ線６ａはＴＦＴ３０のデータ線側ソース／ドレイン領域に電気的に接続されている。画素電極２７は、ＴＦＴ３０の画素電極側ソース／ドレイン領域に電気的に接続されている。
【００６０】
データ線６ａは、データ線駆動回路２２（図１参照）に接続されており、データ線駆動回路２２から供給される画像信号Ｄ１，Ｄ２，…，Ｄｎを画素Ｐに供給する。走査線３ａは、走査線駆動回路２４（図１参照）に接続されており、走査線駆動回路２４から供給される走査信号ＳＣ１，ＳＣ２，…，ＳＣｍを各画素Ｐに供給する。
【００６１】
データ線駆動回路２２からデータ線６ａに供給される画像信号Ｄ１〜Ｄｎは、この順に線順次で供給してもよく、互いに隣り合う複数のデータ線６ａ同士に対してグループごとに供給してもよい。走査線駆動回路２４は、走査線３ａに対して、走査信号ＳＣ１〜ＳＣｍを所定のタイミングでパルス的に線順次で供給する。
【００６２】
液晶装置１００は、スイッチング素子であるＴＦＴ３０が走査信号ＳＣ１〜ＳＣｍの入力により一定期間だけオン状態とされることで、データ線６ａから供給される画像信号Ｄ１〜Ｄｎが所定のタイミングで画素電極２７に書き込まれる構成となっている。そして、画素電極２７を介して液晶層１５に書き込まれた所定レベルの画像信号Ｄ１〜Ｄｎは、画素電極２７と液晶層１５を介して対向配置された共通電極３１との間で一定期間保持される。
【００６３】
保持された画像信号Ｄ１〜Ｄｎがリークするのを防止するため、画素電極２７と共通電極３１との間に形成される液晶容量と並列に容量素子１６が接続されている。容量素子１６は、ＴＦＴ３０の画素電極側ソース／ドレイン領域と容量線３ｂとの間に設けられている。
【００６４】
＜電子機器の構成＞
図４は、電子機器としてのプロジェクターの構成を示す概略図である。以下、プロジェクターの構成を、図４を参照しながら説明する。
【００６５】
図４に示すように、本実施形態のプロジェクター１０００は、システム光軸Ｌに沿って配置された照明系としての偏光照明装置１１００と、光分離素子としての２つのダイクロイックミラー１１０４，１１０５と、３つの反射ミラー１１０６，１１０７，１１０８と、５つのリレーレンズ１２０１，１２０２，１２０３，１２０４，１２０５と、３つの光変調手段としての透過型の液晶ライトバルブ１２１０，１２２０，１２３０と、光合成素子としてのクロスダイクロイックプリズム１２０６と、投写レンズ１２０７とを備えている。
【００６６】
偏光照明装置１１００は、超高圧水銀灯やハロゲンランプなどの白色光源からなる光源としてのランプユニット１１０１と、インテグレーターレンズ１１０２と、偏光変換素子１１０３とから概略構成されている。
【００６７】
ダイクロイックミラー１１０４は、偏光照明装置１１００から射出された偏光光束のうち、赤色光（Ｒ）を反射させ、緑色光（Ｇ）と青色光（Ｂ）とを透過させる。もう１つのダイクロイックミラー１１０５は、ダイクロイックミラー１１０４を透過した緑色光（Ｇ）を反射させ、青色光（Ｂ）を透過させる。
【００６８】
ダイクロイックミラー１１０４で反射した赤色光（Ｒ）は、反射ミラー１１０６で反射した後にリレーレンズ１２０５を経由して液晶ライトバルブ１２１０に入射する。ダイクロイックミラー１１０５で反射した緑色光（Ｇ）は、リレーレンズ１２０４を経由して液晶ライトバルブ１２２０に入射する。ダイクロイックミラー１１０５を透過した青色光（Ｂ）は、３つのリレーレンズ１２０１，１２０２，１２０３と２つの反射ミラー１１０７，１１０８とからなる導光系を経由して液晶ライトバルブ１２３０に入射する。
【００６９】
液晶ライトバルブ１２１０，１２２０，１２３０は、クロスダイクロイックプリズム１２０６の色光ごとの入射面に対してそれぞれ対向配置されている。液晶ライトバルブ１２１０，１２２０，１２３０に入射した色光は、映像情報（映像信号）に基づいて変調されクロスダイクロイックプリズム１２０６に向けて射出される。
【００７０】
このプリズムは、４つの直角プリズムが貼り合わされ、その内面に赤色光を反射する誘電体多層膜と青色光を反射する誘電体多層膜とが十字状に形成されている。これらの誘電体多層膜によって３つの色光が合成されて、カラー画像を表す光が合成される。合成された光は、投写光学系１４００を構成する投写レンズ１２０７によってスクリーン１３００上に投写され、画像が拡大されて表示される。
【００７１】
液晶ライトバルブ１２１０は、上記液晶装置１００（１００Ｒ）が適用されたものである。液晶装置１００は、色光の入射側と射出側とにおいてクロスニコルに配置された一対の偏光素子の間に隙間を置いて配置されている。他の液晶ライトバルブ１２２０，１２３０も同様である。
【００７２】
以上のような構成の電子機器は、上述した実施形態の液晶装置１００を用いるため、信頼性が高く優れた表示特性を有するプロジェクター１０００を提供することができる。
【００７３】
＜特性評価＞
図５は、誘電率異方性ΔεとリタデーションΔｎｄとの関係を、Ｂ（青色）Ｇ（緑色）Ｒ（赤色）及び電圧Ｖごとに示したグラフである。以下、誘電率異方性ΔεとリタデーションΔｎｄとの関係を、図５を参照しながら説明する。
【００７４】
図５に示すグラフは、横軸に誘電率異方性Δεを示しており、縦軸にリタデーションΔｎｄを示している。Δｎは、屈折率異方性であり、本実施形態はΔｎが０．１６の液晶を使用している。ｄは、セルギャップである。横軸の誘電率異方性Δεは、−８〜−３までの範囲を示している。縦軸のリタデーションΔｎｄは、０．１〜０．５の範囲を示している。
【００７５】
また、図５のグラフに示す複数の点（ポイント）は、誘電率異方性ΔεとリタデーションΔｎｄとの関係において、透過率９０％以上になる関係の全てを記している。また、液晶の印加電圧を０Ｖ〜５Ｖの範囲とした場合、３Ｖ〜５Ｖまで０．５Ｖおきに数値を求め、色ごとに最適な範囲を設定した。
【００７６】
図５に示すように、Ｂ（青色用）の液晶材料の物性値は、誘電率異方性Δεが−７．５〜−４の範囲、かつ、リタデーションΔｎｄが０．１８〜０．２９の範囲に収まるように設定して用いることが好ましい。
【００７７】
また、Ｇ（緑色用）の液晶材料の物性値は、誘電率異方性Δεが−７．５〜−４の範囲、かつ、リタデーションΔｎｄが０．２５〜０．３８の範囲に収まるように設定して用いることが好ましい。
【００７８】
また、Ｒ（赤色用）の液晶材料の物性値は、誘電率異方性Δεが−７．５〜−４の範囲、かつ、リタデーションΔｎｄが０．３１〜０．４５の範囲に収まるように設定して用いることが好ましい。
【００７９】
各液晶装置１００Ｂ，１００Ｇ，１００Ｒの液晶材料の物性値を、それぞれ図５のような関係になるよう設定することにより、各液晶装置１００Ｂ，１００Ｇ，１００ＲのＶＴ特性を揃えることが可能となる（図９参照）。よって、例えば、温度上昇などによって液晶材料の物性値が変化した場合でも、電圧に対する透過率の変化量のばらつきが少ないため、表示品質が低下することを抑えることができる。図５の場合、印加電圧が３．５Ｖ〜５Ｖの場合に最適に用いることができる。
【００８０】
また、印加電圧４Ｖ以下で用いる場合、Ｂ（青色用）の液晶材料の物性値は、誘電率異方性Δεが−７．５〜−４の範囲、かつ、リタデーションΔｎｄが０．２０〜０．２９の範囲に収まるように設定して用いることが好ましい。
【００８１】
また、Ｇ（緑色用）の液晶材料の物性値は、誘電率異方性Δεが−７．５〜−４の範囲、かつ、リタデーションΔｎｄが０．２７〜０．３８の範囲に収まるように設定して用いることが好ましい。
【００８２】
また、Ｒ（赤色用）の液晶材料の物性値は、誘電率異方性Δεが−７．５〜−４の範囲、かつ、リタデーションΔｎｄが０．３４〜０．４５までの範囲に収まるように設定して用いることが好ましい。
【００８３】
図６は、誘電率異方性ΔεとＧＡＰ（セルギャップ）（μｍ）との関係を、Ｂ（青色）Ｇ（緑色）Ｒ（赤色）及び電圧Ｖごとに示したグラフである。以下、誘電率異方性ΔεとＧＡＰとの関係を、図６を参照しながら説明する。
【００８４】
図６に示すグラフは、横軸に誘電率異方性Δεを示しており、縦軸にＧＡＰ（μｍ）を示している。横軸の誘電率異方性Δεは、−８〜−３の範囲を示している。縦軸のＧＡＰは、１μｍ〜３μｍの範囲を示している。
【００８５】
また、図６のグラフに示す複数の点は、誘電率異方性ΔεとＧＡＰとの関係において、透過率９０％以上になる関係の全てを記している。また、液晶の印加電圧を０Ｖ〜５Ｖの範囲とした場合、３Ｖ〜５Ｖまで０．５Ｖおきに数値を求め、色ごとに最適な範囲を設定した。
【００８６】
図６に示すように、Ｂ（青色用）の液晶材料の物性値は、誘電率異方性Δεが−７．５〜−４の範囲、かつ、ＧＡＰが１．１８μｍ〜１．８μｍの範囲に収まるように設定して用いることが好ましい。
【００８７】
また、Ｇ（緑色用）の液晶材料の物性値は、誘電率異方性Δεが−７．５〜−４の範囲、かつ、ＧＡＰが１．５８μｍ〜２．４μｍの範囲に収まるように設定して用いることが好ましい。
【００８８】
また、Ｒ（赤色用）の液晶材料の物性値は、誘電率異方性Δεが−７．５〜−４の範囲、かつ、ＧＡＰが１．９９μｍ〜２．８μｍの範囲に収まるように設定して用いることが好ましい。
【００８９】
各液晶装置１００Ｂ，１００Ｇ，１００Ｒの液晶材料の物性値を、それぞれ図６のような関係になるよう設定することにより、各液晶装置１００Ｂ，１００Ｇ，１００ＲのＶＴ特性を揃えることが可能となる（図９参照）。よって、例えば、温度上昇などによって液晶材料の物性値が変化した場合でも、電圧に対する透過率の変化量のばらつきが少ないため、表示品質が低下することを抑えることができる。図６の場合、印加電圧が３．５Ｖ〜５Ｖの場合に最適に用いることができる。
【００９０】
図７は、誘電率異方性ΔεとＧＡＰ（セルギャップ）（μｍ）との関係を、Ｂ（青色）Ｇ（緑色）Ｒ（赤色）及び電圧Ｖごとに示したグラフである。以下、誘電率異方性ΔεとＧＡＰとの関係を、図７を参照しながら説明する。
【００９１】
図７に示すグラフは、図６に示すグラフと比較して、より最適な範囲となる領域を定めており、その他は図６に示すグラフと同様である。
【００９２】
図７に示すように、Ｂ（青色用）の液晶材料の物性値は、誘電率異方性Δεが−５．５〜−４の範囲、かつ、ＧＡＰが１．１８μｍ〜１．８μｍまでの範囲に収まるように設定して用いることが好ましい。
【００９３】
また、Ｇ（緑色用）の液晶材料の物性値は、誘電率異方性Δεが−６．５〜−５の範囲、かつ、ＧＡＰが１．５８μｍ〜２．２０μｍの範囲に収まるように設定して用いることが好ましい。
【００９４】
また、Ｒ（赤色用）の液晶材料の物性値は、誘電率異方性Δεが−７．５〜−６の範囲、かつ、ＧＡＰが１．９９μｍ〜２．６μｍの範囲に収まるように設定して用いることが好ましい。
【００９５】
各液晶装置１００Ｂ，１００Ｇ，１００Ｒの液晶材料の物性値を、図７のような関係になるよう設定することにより、各液晶装置１００Ｂ，１００Ｇ，１００ＲのＶＴ特性を揃えることが可能となる（図９参照）。よって、例えば、温度上昇などによって液晶材料の物性値が変化した場合でも、電圧に対する透過率の変化量のばらつきが少ないため、表示品質が低下することを抑えることができる。
【００９６】
更に、図７に示すような関係に設定することにより、上記ＶＴ特性を保持すると共に、ドメインに大きく影響を与えるようなギャップに広がることを抑えることができる。よって、ドメインに起因する表示品質が低下することを抑えることができる。
【００９７】
図８は、誘電率異方性Δε及び印加電圧Ｖ2の積と、リタデーションΔｎｄとの関係を、Ｂ（青色）Ｇ（緑色）Ｒ（赤色）及び電圧Ｖごとに示したグラフである。以下、誘電率異方性Δε及び印加電圧Ｖ2の積と、リタデーションΔｎｄとの関係を、図８を参照しながら説明する。
【００９８】
図８に示すグラフは、横軸に誘電率異方性Δεと印加電圧Ｖ2との積を示しており、縦軸にリタデーションΔｎｄを示している。横軸の誘電率異方性Δεと印加電圧Ｖ2との積は、０〜−２００の範囲を示している。縦軸のリタデーションΔｎｄは、０．１〜０．５の範囲を示している。
【００９９】
また、図８のグラフに示す複数の点は、誘電率異方性Δε及び印加電圧Ｖ2の積と、リタデーションΔｎｄとの関係において、透過率９０％以上になる関係の全てを記している。また、液晶の印加電圧を０Ｖ〜５Ｖの範囲とした場合、３Ｖ〜５Ｖまで０．５Ｖおきに数値を求め、色ごとに最適な範囲を設定した。
【０１００】
図８に示すように、Ｂ（青色用）の液晶材料の物性値は、リタデーションΔｎｄが０．１８〜０．２９の範囲、かつ、誘電率異方性Δε×電圧Ｖ2が−１２０〜−６４の範囲に収まるように設定して用いることが好ましい。
【０１０１】
また、Ｇ（緑色用）の液晶材料の物性値は、リタデーションΔｎｄが０．２５〜０．３８の範囲、かつ、誘電率異方性Δε×電圧Ｖ2が−１２０〜−６４の範囲に収まるように設定して用いることが好ましい。
【０１０２】
また、Ｒ（赤色用）の液晶材料の物性値は、リタデーションΔｎｄが０．３１〜０．４５の範囲、かつ、誘電率異方性Δε×電圧Ｖ2が−１２０〜−６４の範囲に収まるように設定して用いることが好ましい。
【０１０３】
各液晶装置１００Ｂ，１００Ｇ，１００Ｒの液晶材料の物性値を、図８のような関係になるよう設定することにより、各液晶装置１００Ｂ，１００Ｇ，１００ＲのＶＴ特性を揃えることが可能となる（図９参照）。よって、例えば、温度上昇などによって液晶材料の物性値が変化した場合でも、電圧に対する透過率の変化量のばらつきが少ないため、表示品質が低下することを抑えることができる。
【０１０４】
図９は、色（ＢＧＲ）ごとに専用の液晶装置を用いた場合の、電圧Ｖと透過率との関係を示すグラフである。以下、電圧Ｖと透過率との関係を、図９を参照しながら説明する。
【０１０５】
図９に示すグラフは、横軸に電圧Ｖを示しており、縦軸に透過率を示している。横軸の電圧Ｖは、０Ｖ〜５Ｖの範囲を示している。縦軸の透過率は、０％〜１００％の範囲を示している。
【０１０６】
上記したような物性値を有する液晶材料を備えた液晶装置を各色（ＢＧＲ）専用に配置することにより、図９に示すような、３色のＶＴ特性を揃えることが可能となる。よって、電圧に対する透過率の変化量をほぼ揃えることができ、温度変化が生じた場合でも、従来と比較して、表示品質が低下することを抑えることができる。ここで重要なことはＶＴ特性の傾きが３色でほぼ同じであるということである。そうであれば印加電圧がある値変化した場合の透過率変化を３色で同じにすることが可能となり、表示品質低下を抑えることが出来る。
【０１０７】
以上詳述したように、本実施形態の液晶装置１００（１００Ｂ，１００Ｇ，１００Ｒ）、及びプロジェクター１０００によれば、以下に示す効果が得られる。
【０１０８】
（１）本実施形態の液晶装置１００、及びプロジェクター１０００によれば、各色（青色用の液晶装置１００Ｂ、緑色用の液晶装置１００Ｇ、赤色用の液晶装置１００Ｒ）の液晶材料の物性値（Δｎｄ、Δε、ギャップ、Δε×Ｖ2）の関係を、上記の範囲に収まるように設定して用いることにより、各色の液晶材料のＶＴ特性を揃えることが可能となる。よって、例えば、温度上昇などによって液晶材料の物性値が変化した場合でも、電圧に対する透過率の変化量のばらつきが少ないため、表示品質が低下することを抑えることができる。
【０１０９】
なお、本発明の態様は、上記した実施形態に限られるものではなく、請求の範囲及び明細書全体から読み取れる発明の要旨あるいは思想に反しない範囲で適宜変更可能であり、本発明の態様の技術範囲に含まれるものである。また、以下のような形態で実施することもできる。
【０１１０】
（変形例１）
上記したように、Δｎが０．１６の液晶を使用することに限定されず、上記のように、リタデーションΔｎｄ、誘電率異方性Δε、ギャップ、誘電率異方性Δε×電圧Ｖ2などの関係が数値範囲に収まるような液晶材料であればよく、その他の液晶材料を用いるようにしてもよい。
【０１１１】
（変形例２）
上記したように、透過型の液晶装置１００に適用することに限定されず、反射型の液晶装置に適用するようにしてもよい。この場合、第１基材１１は、シリコン基板を用いることが好ましい。また、画素電極２７は、光反射性の、例えばＡｌ（アルミニウム）やＡｇ（銀）またはこれらの金属の合金や酸化物などの化合物を用いて形成することができる。透過型の液晶装置１００のリタデーションΔｎｄに対して、反射型の液晶装置は、リタデーション２Δｎｄとなる。
【０１１２】
この場合においても、各色（青色用の液晶装置、緑色用の液晶装置、赤色用の液晶装置）の液晶材料の物性値（２Δｎｄ、Δε、ギャップ、Δε×Ｖ2）の関係を、上記の範囲に収まるように設定して用いることにより、各色の液晶材料のＶＴ特性を揃えることが可能となる。よって、例えば、温度上昇などによって液晶材料の物性値が変化した場合でも、電圧に対する透過率の変化量のばらつきが少ないため、表示品質が低下することを抑えることができる。
【符号の説明】
【０１１３】
３ａ…走査線、３ｂ…容量線、６ａ…データ線、１０…一対の基板を構成する素子基板、１１…第１基材、１２…第２基材、１３…絶縁層、１４…シール材、１５…液晶層、１６…容量素子、１８…遮光層、２０…一対の基板を構成する対向基板、２２…データ線駆動回路、２４…走査線駆動回路、２６…上下導通部、２７…画素電極、２８…第１配向膜、２９…配線、３０…ＴＦＴ、３１…共通電極、３２…第２配向膜、６１…外部接続端子、１００…液晶装置、１００Ｂ…青色用の液晶装置、１００Ｇ…緑色用の液晶装置、１００Ｒ…赤色用の液晶装置、１０００…プロジェクター、１１００…偏光照明装置、１１０１…ランプユニット、１１０２…インテグレーターレンズ、１１０３…偏光変換素子、１１０４，１１０５…ダイクロイックミラー、１１０６，１１０７，１１０８…反射ミラー、１２０１，１２０２，１２０３，１２０４，１２０５…リレーレンズ、１２０６…クロスダイクロイックプリズム、１２０７…投写レンズ、１２１０，１２２０，１２３０…液晶ライトバルブ、１３００…スクリーン、１４００…投写光学系。
【図１】
2017040738.tif 000003
【図２】
2017040738.tif 000004
【図３】
2017040738.tif 000005
【図４】
2017040738.tif 000006
【図５】
2017040738.tif 000007
【図６】
2017040738.tif 000008
【図７】
2017040738.tif 000009
【図８】
2017040738.tif 000010
【図９】
2017040738.tif 000011
【図１０】
2017040738.tif 000012